(57)【要約】【課題】食器等の洗浄および乾燥を行う食器洗い機において、壁面や吊り戸棚に排気による結露を抑止しつつ、乾燥行程の強制排気終了後に食器洗い機本体内の湿気の多く含んだ加熱空気の排出性を良化させ、乾燥効率を向上する。【解決手段】前方に開口部１３を有する食器洗い機本体１１と、前記開口部１３と前記食器洗い機本体１１の前面最上部を覆う扉体１４と、前記食器洗い機本体１１に連通して排気を行う送風手段１６と排気口１８とを備え、前記排気口１８は、前記食器洗い機本体１１の上部前面近傍に配設した。【選択図】図１
2005230227.tif 000002
【特許請求の範囲】
【請求項１】
前方に開口部を有する食器洗い機本体と、前記開口部と前記食器洗い機本体の前面最上部を覆う扉体と、前記食器洗い機本体に連通して排気を行う送風手段と排気口とを備え、前記排気口は、前記食器洗い機本体の上部前面近傍に配設した食器洗い機。
【請求項２】
前方に開口部を有する食器洗い機本体と、前記開口部と前記食器洗い機本体の前面最上部を覆う扉体と、前記食器洗い機本体に連通して排気を行う送風手段と排気口とを備え、前記排気口は、前記食器洗い機本体の上部前面に設けた少なくとも１つの凹部に配設した食器洗い機。
【請求項３】
排気口は、前方または斜め上前方に臨ませた請求項１または２に記載の食器洗い機。
【請求項４】
排気口は、排気を食器洗い機本体の上部前面から、斜め上方に行うよう構成した請求項１〜３のいずれか１項に記載の食器洗い機。
【請求項５】
排気口の下側部は、前方に向かって前上がりに形成した請求項１〜４のいずれか１項に記載の食器洗い機。
【請求項６】
排気口の上縁部は、下側部の前端における法線より前方に突出させた請求項１〜５のいずれか１項に記載の食器洗い機。
【請求項７】
扉体は透明または半透明な部材で構成した請求項１〜６のいずれか１項に記載の食器洗い機。
【発明の詳細な説明】
【技術分野】
【０００１】
本発明は食器等の洗浄および乾燥を行う食器洗い機に関するものである。
【背景技術】
【０００２】
従来、この種の食器洗い機は、図４に示すように構成していた。以下、その構成について説明する。図４に示すように、食器洗い機本体内１は、食器類２を内部に収容する開口部３を有し、この開口部３を扉体４により開閉するとともに、食器洗い機本体１内の底部に洗浄水を噴射する洗浄ノズル５を回転自在に配設している。ヒータ６は洗浄水を加熱するとともに、送風手段７によって送風される空気を加熱するよう食器洗い機本体１の底部に配設している。
【０００３】
排気口８は、食器洗い機本体１内の空気を排出するために、開口部３の上辺より下側に扉体４の上方に設けられ、送風手段７による強制排気が扉体４の前面から前方斜め上方に排出するよう構成している。排気経路９は、内部に噴射水が溜まらないように吸い込み口１０を下方に設けるとともに、洗浄ノズル５による噴射水が、排気経路９を通して食器洗い機本体１外に漏出しないよう設けている。（例えば、特許文献１参照）。
【０００４】
食器洗い機の基本的な動作は、一般的によく知られているので、以下に簡単に述べると、使用者が扉体４を開放し、食器洗い機本体１内に配置された食器かごに汚れた食器類２をセットする。つぎに、扉体４を閉め、運転を開始すると、食器洗い機本体１の底部に配置されたヒータ６によって洗浄水を加熱しながら、洗浄ノズル５から食器類２に向かって噴射し、食器類２の汚れを落とす洗浄行程を行う。その後、食器類２をすすいだ後、ヒータ６によって空気を加熱しながら、送風手段７によって水分の多く含んだ加熱空気を排気口８より排出しつつ食器類２および食器洗い機本体１内部を乾かす乾燥行程を行って運転を終了する。
【特許文献１】特開２００２−３００９９６号公報
【発明の開示】
【発明が解決しようとする課題】
【０００５】
しかしながら、このような従来の構成では、乾燥行程終了後、食器類２を食器洗い機本体１内に放置した場合、空気は一般的に温度が高いものは水分を多く含み、軽く上方に集合するため、送風手段７による強制送風がない状態で、食器類２及び食器洗い機本体１の余熱により加熱された空気は食器洗い機本体１内の天面に集合するが、天面から排気経路９の吸い込み口１０の高さまでの、湿気を多く含んだ空気は食器洗い機本体１の外へ排出されることなく残る。よって、食器洗い機本体１の周囲の雰囲気との温度差によって食器類２や、食器洗い機本体１に残りの水分が結露するため、結果的に乾燥効率が悪くなるという問題を有していた。
【０００６】
また、食器洗い機本体１内の様子を確認できるよう扉体４を透明または半透明の部材で窓部４ａを構成する場合、窓部４ａの大きさが排気口８および吸い込み口１０により制限されるため、必要な大きさの窓部を構成することが困難であるという問題を有していた。
【０００７】
また、食器洗い機本体１の後方に排気口８を設けた場合、食器洗い機の設置の多くは壁を背にした状態が多く、また、吊り戸棚などで上方を塞がれることが多いため、排出した水分が壁面や吊り戸棚に結露してしまうという問題を有していた。
【０００８】
本発明は、上記従来の課題を解決するもので、壁面や吊り戸棚に排気による結露を抑止しつつ、乾燥行程の強制排気終了後に食器洗い機本体内の湿気の多く含んだ加熱空気の排出性を良化させ、乾燥効率を向上することを目的としている。
【課題を解決するための手段】
【０００９】
本発明は上記目的を達成するために、前方に開口部を有する食器洗い機本体と、前記開口部と前記食器洗い機本体の前面最上部を覆う扉体と、前記食器洗い機本体に連通して排気を行う送風手段と排気口とを備え、前記排気口は、前記食器洗い機本体の上部前面近傍に配設したものである。
【００１０】
これにより、壁面や吊り戸棚に排気による結露を抑止しつつ、乾燥行程の強制排気終了後に食器洗い機本体内の湿気の多く含んだ加熱空気の排出性を良化させ、乾燥効率を向上するものである。
【発明の効果】
【００１１】
本発明の食器洗い機は、排気口を前記食器洗い機本体の上部前面近傍に配設したことにより、壁面や吊り戸棚に排気による結露を抑止しつつ、乾燥行程の強制排気終了後に食器洗い機本体内の湿気の多く含んだ加熱空気の排出性を良化させ、乾燥効率を向上することができる。
【発明を実施するための最良の形態】
【００１２】
第１の発明は、前方に開口部を有する食器洗い機本体と、前記開口部と前記食器洗い機本体の前面最上部を覆う扉体と、前記食器洗い機本体に連通して排気を行う送風手段と排気口とを備え、前記排気口は、前記食器洗い機本体の上部前面近傍に配設することにより、壁面や吊り戸棚に排気による結露を抑止しつつ、乾燥行程の強制排気終了後に食器洗い機本体内の湿気の多く含んだ加熱空気の排出性を良化させ、乾燥効率を向上することができる。
【００１３】
第２の発明は、前方に開口部を有する食器洗い機本体と、前記開口部と前記食器洗い機本体の前面最上部を覆う扉体と、前記食器洗い機本体に連通して排気を行う送風手段と排気口とを備え、前記排気口は、前記食器洗い機本体の上部前面に設けた少なくとも１つの凹部に配設したことにより、食器洗い機本体の高さを高くすることなく容易に食器洗い機本体に排気口を構成することができる。
【００１４】
第３の発明は、排気口は、前方または斜め上前方に臨ませたことにより、送風手段による排気の方向を前方にし、吊り戸棚への結露の抑止効果を向上することができる。
【００１５】
第４の発明は、排気口は、排気を食器洗い機本体の上部前面から、斜め上方に行うよう構成したことにより、排気が扉体の最上部に衝突するのを防止し、効率の良い排気を行うことができる。
【００１６】
第５の発明は、排気口の下側部は、前方に向かって前上がりに形成したことにより、送風手段による排気の方向を前方斜め上方に排気の方向を変換することができる。
【００１７】
第６の発明は、排気口の上縁部は、下側部の前端における法線より前方に突出させたことにより、送風手段による排気を下側部の前端と排気口の上縁部までの上方への開放部から上方に逃がすことなく排気の方向を前方斜め上方に変換ことができる。
【００１８】
第７の発明は、扉体は透明または半透明な部材で構成したことにより、扉体に排気口を設ける必要がないことと相俟って、扉体の透明または半透明の部分を大きく構成することができるため、扉体を閉めた状態でも食器洗い機本体内部の状態がより視認性よく確認することができる。
【００１９】
以下、本発明の実施の形態について、図面を参照しながら説明する。
【００２０】
（実施の形態１）
図１および図２に示すように、食器洗い機本体１１内に、食器類１２を内部に収容する開口部１３を設け、この開口部１３に、食器洗い機本体１１の前面のほぼ最上部まで回動自在に開閉し少なくとも一部に透過性のある樹脂（例えば透明のポリプロピレン）で構成された部材１４ａを有する扉体１４を配設している。また、食器洗い機本体１１内の底部には、洗浄水を噴射する洗浄ノズル１５を回転自在に配設し、洗浄水と、送風手段１６によって送風される空気とを加熱するヒータ１７を配設している。
【００２１】
排気口１８は、食器洗い機本体１１の上部前面に斜めに切り欠いたように設けた凹部１９に配設し、前方斜め上前方に臨ませている。また、食器洗い機本体１１に連通した送風手段１６および排気口１８により排気を行うよう構成され、一端を排気口１８に連通させた排気経路２０は、下側の側面に前方に向かって前上がりの傾斜面２１を形成し、洗浄ノズル１５からの噴射水が排気口１８より外部に漏出しないよう後部に吸い込み口２２を有して、食器洗い機本体１１内部の天面に配設している。また、排気口１８の上縁部２３は下側部の傾斜面２１の前端２４における法線Ａより前方に突出させている。
【００２２】
上記のように構成した食器洗い機について、その動作、作用を説明すると、まず、使用者が扉体４を開放し、食器洗い機本体１１内に配置された食器かごに汚れた食器類１２をセットする。つぎに、扉体１４を閉め、運転を開始すると、食器洗い機本体１１の底部に配置されたヒータ１７によって洗浄水を加熱しながら、洗浄ノズル１５から食器類１２に向かって噴射し、食器類１２の汚れを落とす洗浄行程を行う。その後、食器類１２をすすいだ後、ヒータ１７によって空気を加熱しながら、送風手段１６によって水分を多く含んだ加熱空気を排気口１８より排出しつつ、食器類１２および食器洗い機本体１１内部を乾かす乾燥行程を行って運転を終了する。
【００２３】
乾燥行程終了後、食器類１２を食器洗い機本体１１内に放置した場合、送風手段１６による強制送風がなくなり、ヒータ１７運転終了後の食器類１２及び食器洗い機本体１１の余熱により加熱された空気は食器洗い機本体１１内の天面に集合するが、食器洗い機本体１１の天面に設けられた排気経路２０の後部の吸い込み口２２から排気経路２０を通過し、食器洗い機本体１１の上部前面近傍に配設した排気口１８より食器洗い機本体１１外に排出される。よって、運転終了後の結露を抑止することができ、乾燥効率が向上する。
【００２４】
また、排気口１８は上部前面に設けた凹部１９にあるため、食器洗い機本体１１の高さを高くすることなく容易に食器洗い機本体１１に排気口１８を構成することができる。
【００２５】
また、図３に示すように、排気口１８は斜め上前方に臨ませ、下側部を前方に向かって前上がりに形成した傾斜面２１により、送風手段１６による強制排気の方向が斜め上前方に排出されるため、水分を多く含んだ排気による壁面２５や吊り戸棚２６への結露の抑止効果を向上することができる。
【００２６】
また、排気口１８の上縁部２３は、下側部の傾斜面２１の前端２４における法線より前方に突出させることで、送風手段１６による強制排気を下側部の傾斜面２１の前端２４と上縁部２３までの上方への開放部から上方に逃がすことなく排気の方向を前方斜め上方に変換することができる。
【００２７】
また、排気口１８は、食器洗い機本体１１の上部前面近傍に配設して食器類１２の上方に設けているので、扉体１４に透明または半透明の部分が大きく構成することができ、扉体１４を閉めた状態でも内部の食器類１２を視認性よく確認することができる。
【００２８】
このように本実施の形態によれば、前方に開口部１３を有する食器洗い機本体１１と、前記開口部１３と前記食器洗い機本体１１の前面最上部を覆う扉体１４と、前記食器洗い機本体１１に連通して排気を行う送風手段１６と排気口１８とを備え、前記排気口１８は、前記食器洗い機本体１１の上部前面近傍に配設することにより、壁面２５や吊り戸棚２６に排気による結露を抑止しつつ、乾燥行程の強制排気終了後に食器洗い機本体１１内の湿気の多く含んだ加熱空気の排出性を良化させ、乾燥効率を向上することができる。
【００２９】
また、前方に開口部１３を有する食器洗い機本体１１と、前記開口部１３と前記食器洗い機本体１１の前面最上部を覆う扉体１４と、前記食器洗い機本体１１に連通して排気を行う送風手段１６と排気口１８とを備え、前記排気口１８は、前記食器洗い機本体１１の上部前面に設けた少なくとも１つの凹部１９に配設したことにより、食器洗い機本体１１の高さを高くすることなく容易に食器洗い機本体１１に排気口１８を構成することができる。
【００３０】
また、排気口１８は、前方または斜め上前方に臨ませたことにより、送風手段１６による排気の方向を前方にし、吊り戸棚２６への結露の抑止効果を向上することができる。
【００３１】
また、排気口１８は、排気を食器洗い機本体１１の上部前面から、斜め上方に行うよう構成したことにより、排気が扉体の最上部に衝突するのを防止し、効率の良い排気を行うことができる。
【００３２】
また、排気口１８の下側部は、前方に向かって前上がりに形成したことにより、送風手段１６による排気の方向を前方斜め上方に排気の方向を変換することができる。
【００３３】
また、排気口１８の上縁部２３は、下側部の傾斜面２１の前端２４における法線より前方に突出させたことにより、送風手段による排気を下側部の傾斜面２１の前端２４と排気口１８の上縁部２３までの上方への開放部から上方に逃がすことなく排気の方向を前方斜め上方に変換することができる。
【００３４】
また、扉体１４は少なくとも一部を透明または半透明な部材１４ａで構成したことにより、排気口のない扉体に透明または半透明の部分が大きく構成することができるため、扉体を閉めた状態でも食器洗い機本体内部の状態がより視認性よく確認することができる。
【００３５】
なお、上縁部２３の突出量で容易に排気方向の変更が可能であり、排気の方向は、扉体１４の裏面に衝突しないレベルで、斜め上方にすると、より吊り戸棚２６等への結露抑止効果が向上する。
【００３６】
本実施の形態では、食器洗い機本体１１の上部前面を斜めに切り欠いて凹部１９を形成し、この凹部１９に、下側面に前方に向かって前上がりに形成した傾斜面２１を形成した排気経路２０の一端に排気口１８を斜め上前方に臨ませて配設して、排気を斜め上方に行うように構成したが、本発明はこの実施の形態によって限定されるものではない。例えば、凹部１９の形状を略矩形に形成し、ここに排気口１８を略前方に向けて配設し、その上縁部２３を庇状に突出させた構成でも、程度の差はあれ、同様の効果が得られる。
【産業上の利用可能性】
【００３７】
以上のように、本発明にかかる食器洗い機は、乾燥行程の強制排気終了後に食器洗い機本体内の湿気の多く含んだ加熱空気の排出性を良化させ、乾燥効率を向上することができるので、乾燥機能を有した食器洗い機等として有用である。
【図面の簡単な説明】
【００３８】
【図１】本発明の実施の形態１の食器洗い機の側断面図
【図２】同食器洗い機の排気口の拡大断面図
【図３】同食器洗い機の設置状態を示す説明図
【図４】従来の食器洗い機の側断面図
【符号の説明】
【００３９】
１１  食器洗い機本体
１３  開口部
１４  扉体
１６  送風手段
１８  排気口
２０  排気経路
２１  傾斜面（下側部）
２３  上縁部
【図１】
2005230227.tif 000003
【図２】
2005230227.tif 000004
【図３】
2005230227.tif 000005
【図４】
2005230227.tif 000006